(57)【要約】【課題】相手側コネクタとのロックを解除するレバーの諸荷重からの保護と誤操作の防止が可能で、しかも、コンパクトなコネクタを提供する。【解決手段】ケーブル側コネクタ１は、複数本のケーブル側コンタクト１０と、各コンタクトを保持するケーブル側インシュレータ２０と、前記ロックを解除する一対のロックスプリング５０と、各コンタクト及びインシュレータを被覆する上下両シェル６０，８０とから構成される。各スプリングは、インシュレータの本体部２２に開けられた各ロックスプリング圧入穴２９に収容される。インシュレータと一体成形された一対のレバー３１は、各スプリングを操作して、各引掛け部５６を相手側コネクタのロック部から解除する。上下両シェルは、各レバーを囲む各レバー保護部６６，８２を有する。各レバー保護部には、各レバーの操作方向を規制し、かつ、過大変位を防止する操作停止部（切欠き７０，９３間のスリットは、レバー操作部３５と先端部３２の各高さより小さいこと。）が設けられている。【選択図】      図３
2005005102.tif 000002
【特許請求の範囲】
【請求項１】
相手側コネクタとの嵌合をロックするロックスプリングを有するコネクタにおいて、
前記コネクタは、コンタクトと、前記コンタクトを保持するインシュレータと、前記ロックスプリングと、前記コンタクト及び前記インシュレータを被覆するシェルとから構成され、
前記インシュレータには、前記ロックスプリングを操作するレバーが一体成形され、
前記シェルは、前記レバーを囲むレバー保護部を有し、
前記レバー保護部には、前記レバーの操作方向を規制し、かつ、過大変位を防止する操作停止部が設けられていることを特徴とするコネクタ。
【請求項２】
前記インシュレータは、前記相手側コネクタとの嵌合をガイドするガイド部を有し、前記ガイド部に前記ロックスプリングのロック部が出没可能に配設されていることを特徴とする請求項１記載のコネクタ。
【発明の詳細な説明】
【０００１】
【発明の属する技術分野】
本発明は、コネクタのロック機構に関し、一例としてケーブル側コネクタと基板側コネクタとのロック機構に関する。
【０００２】
【従来の技術】
従来のロック機構付きコネクタについて説明する（例えば、特許文献１参照。）。
【０００３】
図１０〜図１２に示されるように、コネクタは、フラットケーブルのようなケーブル３０１の芯線に接続するコネクタ本体３０２と、コネクタ本体３０２に組み付けられているカバーインシュレータ３０３と、カバーインシュレータ３０３に組み合わされるストレインリリーフ３０４とを有する。
【０００４】
ロック機構は、押え部３０４ａの両側部から、相手コネクタ３０７の両側部に対向するようにそれぞれのびている第１のアーム部３０４ｂと、第１のアーム部３０４ｂの先端から第１のアーム部３０４ｂにそれぞれ対向するようにのびている第２のアーム部３０４ｃとを有する。
【０００５】
相手コネクタ３０７は、相手インシュレータ３０７ａと、相手インシュレータ３０７ａに形成されている嵌合溝３０７ｂと、嵌合溝３０７ｂに設けられている相手コンタクト３０７ｃとを有する。嵌合溝３０７ｂには、コネクタ本体３０２が嵌合される。
【０００６】
また、第１のアーム部３０４ｂの先端部分には相手インシュレータ３０７ａに係合・離脱可能なロック用爪３０８が設けられている。第２のアーム部３０４ｃの先端部分には第１のアーム部３０４ｂを撓ませるように操作する操作部３０９が設けられている。
【０００７】
第１のアーム部３０４ｂはバネ性を有するものである。第２のアーム部３０４ｃは硬性に形成されているものである。
【０００８】
操作部３０９にはストレインリリーフ３０４の両側部に対向する位置に操作突起部３０９ａが設けられている。ストレインリリーフ３０４の両側部には、操作部３０９をストレインリリーフ３０４の両側部に近付く向きに操作したときに操作突起部３０９ａを受け入れるへこみ部３１０が形成されている。
【０００９】
ストレインリリーフ３０４には第２のアーム部３０４ｃの内側でかつインシュレータ３０２ａの両側面に対向するようのびている係止部３１１が設けられている。相手インシュレータ３０７ａの両側面には、係止部３１１に形成した係止穴３１１ａに係止する係止突起部３１２が形成されている。
【００１０】
ロック機構においては、操作部３０９のロック用爪３０８が、図１２に示す実線の位置で相手コネクタ３０７のロック溝３１７に入り込んでいる状態でロックされる。この状態からロックを解除するには、操作部３０９をワンタッチのロック操作として指で摘むことによって第１のアーム部３０４ｂが互いに開く方向に撓み、同時にロック用爪３０８がロック溝３１７から外れてロックが解除される。
【００１１】
このとき、操作部３０９の第２のアーム部３０４ｃに設けた操作突起部３０９ａをストレインリリーフ３０４の側面のへこみ部３１０に嵌合させる。このようにして、コネクタ本体３０２を相手コネクタ３０７から抜去することで抜去力によって第１のアーム部３０４ｂが壊れるのを防止できる。
【００１２】
即ち、ストレインリリーフ３０４は第１及び第２のアーム部３０４ｂ，３０４ｃと一体構造となっており、コネクタ本体３０２に取り付けられることによりワンタッチで操作が可能なロック機構付きコネクタとなる。
【００１３】
【特許文献１】
特開平９−１２０８６４号公報（第３頁第３欄第４２行−第４頁第５欄第２４行、図１，２，６）
【００１４】
【発明が解決しようとする課題】
前記ロック機構付きコネクタでは、操作部３０９を正常な方向に押し込むと、操作突起部３０９ａがへこみ部３１０に突き当たるので、操作部３０９に過大な荷重が加わったときの破損を防止する。
【００１５】
しかし、他の操作方向に荷重が加わった場合、第２のアーム部３０４ｃと操作部３０９は、荷重方向に変形するので、破損する恐れがある。
【００１６】
そこで、本発明は、前記従来のロック機構付きコネクタの欠点を改良し、相手側コネクタとのロックを解除するレバーの諸荷重からの保護と誤操作の防止が可能で、しかも、コンパクトなコネクタを提供しようとするものである。
【００１７】
【課題を解決するための手段】
本発明は、前記課題を解決するため、次の手段を採用する。
【００１８】
１．相手側コネクタとの嵌合をロックするロックスプリングを有するコネクタにおいて、前記コネクタは、コンタクトと、前記コンタクトを保持するインシュレータと、前記ロックスプリングと、前記コンタクト及び前記インシュレータを被覆するシェル（６０，８０）とから構成され、前記インシュレータには、前記ロックスプリングを操作するレバーが一体成形され、前記シェルは、前記レバーを囲むレバー保護部を有し、前記レバー保護部には、前記レバーの操作方向を規制し、かつ、過大変位を防止する操作停止部（スリット５）が設けられているコネクタ。
【００１９】
２．前記インシュレータは、前記相手側コネクタとの嵌合をガイドするガイド部（ガイドポスト２６）を有し、前記ガイド部に前記ロックスプリングのロック部（引掛け部５６）が出没可能に配設されている前記１記載のコネクタ。
【００２０】
【発明の実施の形態】
本発明の一実施の形態例のコネクタについて図１〜図９を参照して説明する。
【００２１】
図１は、一対のケーブル側コネクタ１，１が２つの機器本体の各基板２００に実装された基板側コネクタ１０１と接続される前の状態を示す斜視図である。
【００２２】
両ケーブル側コネクタ１，１が複数本のケーブル２によって接続されてケーブルハーネス３が構成され、各ケーブル側コネクタ１が各基板側コネクタ１０１と嵌合することによって、両基板２００，２００は接続する。
【００２３】
ケーブル側コネクタ１は、図２と図３に示されるように、複数本のケーブル側コンタクト１０と、各ケーブル側コンタクト１０を保持するケーブル側インシュレータ２０と、一対のロックスプリング５０と、下シェル６０と、上シェル８０とから構成される。
【００２４】
ケーブル側コンタクト１０は、金属をプレス加工することにより製作され、圧入部１１、押込み部１２、接点部１３及び半田付部１４を有する。
【００２５】
ケーブル側インシュレータ２０は、樹脂材料から成形され、嵌合部２１と本体部２２とから構成される。嵌合部２１には、複数本のコンタクト溝２３が形成され、各コンタクト溝２３から本体部２２に向けてコンタクト穴２４が開けられ、各コンタクト穴２４の本体部２２側の出口は配線部２５となる。嵌合部２１の両端には、基板側コネクタ１０１との嵌合をガイドするためのガイドポスト２６が一体に形成され、各ガイドポスト２６の外側面にロック溝２７が形成され、また、各ガイドポスト２６の上下両面を貫通するシェル圧入穴２８が開けられている。本体部２２の両後端には、ロックスプリング圧入穴２９が開けられている。
【００２６】
ケーブル側インシュレータ２０の両側面３０には、片持ち梁形状のレバー３１が一体に成形され、レバー３１の先端部３２の外側に溝部３３、補強部３４及びレバー操作部３５が設けられている。レバー３１は、側面３０における支持部（支点）３０ａを中心として操作される。先端部３２の幅とレバー操作部３５の幅はほぼ等しいが、溝部３３及び補強部３４の各幅は先端部３２の幅よりも狭い。
【００２７】
レバー３１の中程では、突起３６が内側に突出し、本体部２２とレバー３１との間には、レバー溝３７が形成されている。
【００２８】
本体部２２の両側の上下両面には、それぞれ段差３８、ピン部３９及び凸部４０が形成され、上下両面を貫通してシェル圧入穴４１が開けられている。
【００２９】
各ロックスプリング５０は、略Ｕ字形状部を有するプレス加工品である。略Ｕ字形状部は、一方側の圧入部５１と他方側の根元部５２及び段差部５３とから構成される。段差部５３に先端部５４が連続し、先端部５４の先端はテーパ部５５となり、テーパ部５５に引掛け部５６が設けられる。
【００３０】
下シェル６０は、金属材料製のプレス成形品であり、その中央部は、段差を設けられ、接触部６１と、本体部６２と、ケーブルガイド部６３とから構成される。
【００３１】
接触部６１の両端と本体部６２の両端には、それぞれ圧入角６４，６５が設けられ、各圧入角６５の両外側に段差が設けられてレバー保護部６６が形成されている。各レバー保護部６６には、ピン穴６７と凹部６８が設けられ、各レバー保護部６６の側面６９には、切欠き７０，７１が形成されている。本体部６２の３箇所には、ばね部７２及び接点部７３が設けられている。
【００３２】
ケーブルガイド部６３の両外側及び各レバー保護部６６の後側には、それぞれ立上げ部７４，７５が設けられ、各立上げ部７４，７５に突起７６，７７が形成されている。
【００３３】
上シェル８０は、金属材料製のプレス成形品であり、その中央の本体部８１と、両側のレバー保護部８２とから構成される。
【００３４】
本体部８１の前側両端と各レバー保護部８２の前側には、引掛部８３，８５が設けられている。本体部８１の後側両端と各レバー保護部８２の後側には、立上げ部８６，８７が設けられ、各立上げ部８６，８７に穴８８，８９が開けられている。
【００３５】
各レバー保護部８２には、ピン穴９０と凹部９１が設けられ、各レバー保護部８２の外側面９２には、切欠き９３，９４が設けられている。
【００３６】
本体部８１の３箇所には、ばね部９５及び接点部９６が設けられている。
【００３７】
ケーブル側コネクタ１の組立は、次のように行われる。
【００３８】
ケーブル側インシュレータ２０の各コンタクト穴２４に各ケーブル側コンタクト１０の圧入部１１を圧入する。すると、各接点部１３は各コンタクト溝２３の上に配置され、各半田付部１４は配線部２５の上に配置される。
【００３９】
ケーブル側インシュレータ２０の各ロックスプリング圧入穴２９に各ロックスプリング５０の圧入部５１を圧入すると、根元部５２、段部５３及び先端部５４はレバー溝３７内に挿入され、テーパ部５５と引掛け部５６は各ガイドポスト２６のロック溝２７から外側に突出する。
【００４０】
下シェル６０の各圧入角６４，６５を各シェル圧入穴２８，４１に圧入すると、下シェル６０はケーブル側インシュレータ２０に固定される。
【００４１】
このとき、接触部６１は嵌合部２１の下面に固定され、各レバー保護部６６は各段差３８に、各ピン部３９は各ピン穴６７に、各凸部４０は各凹部６８に、それぞれはまり込む。
【００４２】
また、各側面６９はケーブル側インシュレータ２０の各側面３０の外側に位置し、各切欠き７０と各溝部３３との間に、各切欠き７１と各補強部３４との間に、それぞれ僅かな隙間が設けられる。
【００４３】
各ケーブル２を各ケーブル側コンタクト１０の半田付部１４に半田付けした後、上シェル８０の各引掛け部８３，８５を本体部２２の先端の各溝２２ａ，２２ｂに引掛け、上シェル８０の各穴８８，８９内に下シェル６０の各突起７６，７７をはめることによって、上シェル８０はケーブル側インシュレータ２０と下シェル６０に固定される。
【００４４】
このとき、各レバー保護部８２はケーブル側インシュレータ２０の各段差３８に、各ピン穴９０は各ピン部３９に、各凹部９１は各凸部４０に、それぞれはまり込む。
【００４５】
また、各側面９２はケーブル側インシュレータ２０の各側面３０の外側に位置し、各切欠き９３と各溝部３３との間に、各切欠き９４と各補強部３４との間に、それぞれ僅かな隙間が設けられる。
【００４６】
図４は、上下両シェル６０，８０のケーブル側インシュレータ２０への組み込み状態を説明するために、上下両シェル６０，８０のみを表示した斜視図である。下シェル６０の各側面６９と上シェル８０の各側面９２との間に僅かな隙間４が設けられて、下シェル６０の各側面６９と上シェル８０の各側面９２とは、ケーブル側インシュレータ２０の各側面３０の外側に固定される。
【００４７】
このとき、各切欠き７０と各切欠き９３とによってスリット５が形成されるが、スリット５の幅は、先端部３２及びレバー操作部３５の各高さよりも狭いが、溝部３３の高さよりも僅かに広く寸法設定される。各切欠き７１と各切欠き９４とによって形成されるスリット６の幅は、レバー操作部３５の高さよりも狭いが、補強部３４の高さよりも僅かに広く寸法設定される。
【００４８】
図５は、上シェル８０及びケーブル側インシュレータ２０の平面図（ただし、右側部分は破断されて示される。）と背面図（ただし、右側部分は線Ａ−Ａ，Ｂ−Ｂによる断面図である。）であり、（Ａ）はロック状態、（Ｂ）はロック解除状態を、それぞれ示す。
【００４９】
図５（Ａ）に示されるロック状態では、各ロックスプリング５０のテーパ部５５と引掛け部５６が、各ガイドポスト２６の外側に突出している。
【００５０】
ロック状態では、先端部３２の高さがスリット５の幅よりも広いから、レバー３１を外側に開こうとしても、上シェル８０と下シェル６０によって阻止されるので、レバー操作部３５を外側に引っ張る誤操作を行うことができない。
【００５１】
また、レバー３１はレバー保護部６６とレバー保護部８２に囲われているから、レバー操作部３５を上下方向に押しても、レバー３１は上シェル８０と下シェル６０によって阻止されるので、レバー操作部３５を上下方向に押す誤操作も行うことができない。
【００５２】
図５（Ｂ）に示されるように、各レバー操作部３５を矢印方向に押し込むと、各レバー３１が変位するので、各突起３６が各ロックスプリング５０の段部５３を押し込む。したがって、各ロックスプリング５０は変位するので、各テーパ部５５と各引掛け部５６は各ガイドポスト２６の外側面から引込み、ロック解除状態に至る。
【００５３】
各レバー操作部３５の高さは各スリット５の幅よりも大きく、各レバー操作部３５が上シェル８０の側面９２と下シェル６０の側面６９に突き当たるまで、各レバー操作部３５の押込み操作を行うことができる。したがって、各スリット５が各レバー３１の操作を停止する役割を果すので、過大な操作量による各レバー３１の破損を防止する。また、各レバー操作部３５は、ケーブル側コネクタ１の後端部に位置するため、各レバー３１の押込みは操作し易い。
【００５４】
複数組のケーブルハーネス３が束ねられて流通される場合がある。この場合、隣接するケーブル側コネクタ１が絡み合って、片持ち梁形状のレバー３１等が破損する恐れがあるが、本発明では、レバー３１は、下シェル６０のレバー保護部６６と上シェル８０のレバー保護部８２によって囲われているため、破損し難い。
【００５５】
各レバー操作部３５を押込む力を緩和すると、各ロックスプリング５０の復元力によって、各レバー３１は、図５（Ａ）に示されるロック状態に復帰する。
【００５６】
ロック解除時に過大な操作力がケーブル側インシュレータ２０の本体部２２、下シェル６０又は上シェル８０に加わった場合には、本体部２２の各ピン部３９が下シェル６０の各ピン穴６７と上シェル８０の各ピン穴９０に、各凸部４０が各凹部６８と各凹部９１に、それぞれはまり込んでいるため、本体部２２、下シェル６０及び上シェル８０は破損し難い。
【００５７】
以上に説明したように、ケーブル側コネクタ１では、各レバー３１を各レバー保護部６６，８２で囲むことによって各レバー操作部３５の誤操作と過大操作を防止することができると共に、ケーブル側コネクタ１の流通時の不慮の事故による破損が発生し難く、また、ロック解除時の過大な操作力によって本体部２２、下シェル６０及び上シェル８０は破損し難く、更に、各レバー操作部３５がコネクタの後端側に配置されているため、操作性が良好である。
【００５８】
基板側コネクタについて図６〜図８を参照して説明する。
【００５９】
基板側コネクタ１０１は、複数本の基板側コンタクト１１０と、グラウンドプレート１２０と、シェル１４０と、基板側インシュレータ１６０とから構成される。
【００６０】
各基板側コンタクト１１０は、圧入部１１１、ばね部１１２、接点部１１３及び半田付部１１４を有する。
【００６１】
グラウンドプレート１２０は、中央部分に連結部１２１と、連結部１２１に連続する複数の圧入部１２２、ばね部１２３及び接点部１２４と、連結部１２１の両端に段部１２５を介して連続する圧入部１２６、ばね部１２７、シェル接点部１２８及び半田付部１２９を有する。
【００６２】
シェル１４０は、上面１４１、下面１４２及び両側面１４３によって基板側インシュレータ１６０を収容する空間１４４を形成する４角枠形状のプレス成形品である。上面１４１から後側に数本の圧入角１４５が形成され、下面１４２から前側に数本の圧入角１４６及び半田付部１４７が形成され、両側面１４３から外側に半田付部１４８が形成され、両側面１４３の内側に折返し部１４９が形成され、各折返し部１４９にロック穴１５０が開けられている。
【００６３】
基板側インシュレータ１６０には、前面１６１から中央に複数の接続穴１６２と両側にガイド穴１６３が開けられ、各接続穴１６２の上面１６４側には、複数のコンタクト溝１６６が形成され、下面１６５側には、複数のグラウンド溝１６８が形成されている。各コンタクト溝１６６の奥側は各コンタクト穴１６７となり、各グラウンド溝１６８の奥側は各グラウンド穴１６９となる。上面１６４と下面１６５には、後側からそれぞれ数個のシェル圧入穴１７０，１７１が開けられている。
【００６４】
基板側コネクタ１０２の組立は、次のように行われる。
【００６５】
基板側インシュレータ１６０の背面からシェル１４０を組込むと、各圧入角１４５は各圧入穴１７０に、各圧入角１４６は各圧入穴１７１に、それぞれ圧入され、各折返し部１４９は各ガイド穴１６３に差し込まれる。
【００６６】
この後、基板側インシュレータ１６０の背面から、グラウンドプレート１２０の各圧入部１２２を各グラウンド穴１６９に圧入すると、各接点部１２４は各グラウンド溝１６８内に収容される。各基板側コンタクト１１０の圧入部１１１を各コンタクト穴１６７に圧入すると、各接点部１１３は各コンタクト溝１６６内に収容される。この結果、各接点部１１３と各接点部１２４とは、各接続穴１６２内で対向して配置される。
【００６７】
以上のように組立てられた各基板側コネクタ１０１は、図１に示されるように、各半田付部１１４，１２９，１４７，１４８を各基板２００の各ランド２０１，２０２，２０３に半田付けによって固定される。
【００６８】
基板側コネクタ１０１の各基板側コンタクト１１０にケーブル側コネクタ１の各ケーブル側コンタクト１０が向かい合うように嵌合すると、両コネクタ１，１０１のコンタクト１０，１１０は接触し、電気信号が導通可能となり、下シェル６０とグラウンドプレート１２０も接触し、グラウンド信号が導通可能となる。両コネクタ１，１０１が嵌合すると、各ロックスプリング５０の引掛け部５６がシェル１４０の各ロック穴１５０に引掛かるので、両コネクタ１，１０１はロック状態に至る。
【００６９】
図９は、両コネクタ１，１０１の嵌合面の正面図であり、（Ａ）は基板側コネクタ１０１、（Ｂ）はケーブル側コネクタ１、（Ｃ）は基板側コネクタ１０１とケーブル側コネクタ１とが正常な方向で嵌合した場合、（Ｄ）は基板側コネクタ１０１とケーブル側コネクタ１とが逆方向（上下逆位置）で嵌合した場合を、それぞれ示す。
【００７０】
図９（Ａ）に示されるように、基板側コネクタ１０１において、各ガイド穴１６３の広さは、各接続穴１６２の広さよりも広く、また、それぞれの穴の中心線１６３ａ，１６２ａは、寸法ｅだけ偏心している。
【００７１】
図９（Ｂ）に示されるように、ケーブル側コネクタ１において、ガイドポスト２６の厚さは、嵌合部２１の厚さよりも厚く、また、それぞれの中心線２６ａ，２１ａは、基板側コネクタ１０１と等しい寸法ｅだけ偏心している。
【００７２】
図９（Ｃ）に示されるように、斜線部Ｓは、ケーブル側コネクタ１の嵌合部２１と各ガイドポスト２６の輪郭形状を示したものであるが、基板側コネクタ１０１とケーブル側コネクタ１とが正常な方向で嵌合した場合には、斜線部Ｓは各接続穴１６２と各ガイド穴１６３に正常に挿入可能である。
【００７３】
図９（Ｄ）に示されるように、基板側コネクタ１０１とケーブル側コネクタ１とが逆方向で嵌合した場合には、斜線部Ｓの中央部、即ちケーブル側コネクタ１の嵌合部２１の幅方向全体が基板側コネクタ１０１の前面１６１に突き当たるため、逆方向嵌合は不可能となる。つまり、両コネクタ１，１０１は、逆方向嵌合防止コネクタとなる。
【００７４】
このような逆方向嵌合の挿入力は、基板側コネクタ１０１を基板２００から剥離する方向の荷重となるが、基板側コネクタ１０１は、各接続穴１６２の下側で複数の半田付部１４７，１４８が半田付けされているため、剥離荷重に対して強く抵抗することができる。
【００７５】
また、ケーブル側コネクタ１の嵌合部２１と各ガイドポスト２６とを一体成形したので、横方向のコジリ挿板を受けた場合にも、各ガイドポスト２６は破損し難い。
【００７６】
【発明の効果】
以上の説明から明らかなように、本発明によれば、次の効果が奏される。
【００７７】
１．ロックスプリングを操作するレバーは、シェルのレバー保護部によって囲われているので、破損し難く、また、レバーを上下方向に押す誤操作が防止される。
【００７８】
２．レバー保護部に設けられている操作停止部（スリット５）によって、レバーを外側に開く誤操作が防止され、また、レバーを内側に過大に押し込む誤操作も防止される。
【００７９】
３．インシュレータとレバーとが一体成形されるので、部品点数が少なく、コネクタの組立分解が簡便で、コストが安価である。
【００８０】
４．インシュレータにおける相手側コネクタとの嵌合をガイドするガイド部に、ロックスプリングのロック部が出没可能に配設されているので、コネクタはコンパクトに構成される。
【図面の簡単な説明】
【図１】本発明の一実施の形態例の一対のケーブル側コネクタが２枚の基板にそれぞれ実装された基板側コネクタと接続される前の状態を示す斜視図である。
【図２】同ケーブル側コネクタの斜視図である。
【図３】同ケーブル側コネクタの分解斜視図である。
【図４】同ケーブル側コネクタにおける上下両シェルのケーブル側インシュレータへの組み込み状態を説明するために、同上下両シェルのみを表示した斜視図である。
【図５】同上シェル及び同ケーブル側インシュレータの平面図（ただし、右側部分は破断されて示される。）と背面図（ただし、右側部分は線Ａ−Ａ，Ｂ−Ｂによる断面図である。）であり、（Ａ）はロック状態、（Ｂ）はロック解除状態を、それぞれ示す。
【図６】同基板側コネクタの斜視図である。
【図７】同基板側コネクタの前面側から見た分解斜視図である。
【図８】同基板側コネクタの背面側から見た分解斜視図である。
【図９】同ケーブル側コネクタと同基板側コネクタとの嵌合面の正面図であり、（Ａ）は同基板側コネクタ、（Ｂ）は同ケーブル側コネクタ、（Ｃ）は同両コネクタが正常な方向で嵌合した場合、（Ｄ）は同両コネクタが逆方向（上下逆位置）で嵌合した場合を、それぞれ示す。
【図１０】従来のロック機構付きコネクタの要部の分解斜視図である。
【図１１】同コネクタと相手コネクタの各要部の嵌合前の斜視図である。
【図１２】同コネクタと同相手コネクタとが嵌合した状態における要部の正面図である。
【符号の説明】
１    ケーブル側コネクタ
２    ケーブル
３    ケーブルハーネス
４    隙間
５    スリット
６    スリット
１０    ケーブル側コンタクト
２０    ケーブル側インシュレータ
２１    嵌合部
２２    本体部
２６    ガイドポスト
３０    側面
３０ａ    支持部（支点）
３１    レバー
３２    先端部
３３    溝部
３４    補強部
３５    レバー操作部
３６    突起
５０    ロックスプリング
５１    圧入部
５２    根元部
５３    段差部
５４    先端部
５５    テーパ部
５６    引掛け部
６０    下シェル
６１    接触部
６２    本体部
６３    ケーブルガイド部
６４    圧入角
６５    圧入角
６６    レバー保護部
６７    ピン穴
６８    凹部
６９    側面
７０    切欠き
７１    切欠き
８０    上シェル
８１    本体部
８２    レバー保護部
９２    外側面
９３    切欠き
９４    切欠き
１０１    基板側コネクタ
１１０    基板側コンタクト
１２０    グラウンドプレート
１４０    シェル
１６０    基板側インシュレータ
【図１】
2005005102.tif 000003
【図２】
2005005102.tif 000004
【図３】
2005005102.tif 000005
【図４】
2005005102.tif 000006
【図５】
2005005102.tif 000007
【図６】
2005005102.tif 000008
【図７】
2005005102.tif 000009
【図８】
2005005102.tif 000010
【図９】
2005005102.tif 000011
【図１０】
2005005102.tif 000012
【図１１】
2005005102.tif 000013
【図１２】
2005005102.tif 000014